【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
ヒトが産生する気体状ＣＯ２供給源から、ＣＯ２を含有する安定な析出物を生成する工程を含み、この析出物生成工程が、前記気体状ＣＯ２供給源のＣＯ２の一部分またはすべてが溶解した水溶液からプロトンを除去するプロセスを利用したものであり、前記プロトンを除去するプロセスで発生したＣＯ２が、前記析出物の生成によって気体状ＣＯ２供給源から除去されたＣＯ２の７０％未満である、プロセス。
【請求項２】
前記プロトンを除去するプロセスが、水酸化物を使用してプロトンを除去するプロセスを含む、請求項１に記載のプロセス。
【請求項３】
前記析出物生成工程によって、１回の析出工程で５ｇ／Ｌ以上の収量の安定な固体が得られる、請求項１に記載のプロセス。
【請求項４】
前記ヒトが産生する気体状供給源が、ＮＯｘ、ＳＯｘ、ＶＯＣ、水銀および微粒子のうち１つ以上を含み、前記プロセスによって、ＮＯｘ、ＳＯｘ、ＶＯＣ、水銀および微粒子のうち１つ以上を、析出したＣＯ２を含有する安定な析出物に固定化する、請求項１に記載のプロセス。
【請求項５】
アルカリ土類金属イオンを含有する水を、炭酸塩化合物が析出する条件に供し、ヒトが作成した保存時に安定な二酸化炭素捕捉析出生成物を生成する工程と、
前記保存時に安定な二酸化炭素捕捉析出生成物を処分し、二酸化炭素を捕捉する工程とを含む、二酸化炭素を捕捉する方法。
【請求項６】
前記アルカリ土類金属イオンを含有する水が、二酸化炭素を含有する気体流と接触させられる、請求項５に記載の方法。
【請求項７】
前記方法が、水と二酸化炭素を含有する気体流とを接触させる工程、および前記水のｐＨを、前記保存時に安定な二酸化炭素捕捉生成物を析出させる値まで上昇させる工程を含む、請求項５に記載の方法。
【請求項８】
前記方法が、前記水のｐＨを１０以上まで上昇させる工程を含む、請求項７に記載の方法。
【請求項９】
前記水のｐＨが、前記水に塩基を加えることによって上昇する、請求項８に記載の方法。
【請求項１０】
前記水のｐＨが、電気化学的プロトコルを用いることによって上昇する、請求項８に記載の方法。
【請求項１１】
前記電気化学的プロトコルによってガスが発生しない、請求項１０に記載の方法。
【請求項１２】
前記保存時に安定な二酸化炭素捕捉生成物が、１％〜５０％（ｗ／ｗ）の炭素を含む、請求項５に記載の方法。
【請求項１３】
前記保存時に安定な二酸化炭素捕捉生成物中に存在する炭素の１０〜１００％が、前記二酸化炭素を含有する気体流に由来するものである、請求項１２に記載の方法。
【請求項１４】
前記保存時に安定な二酸化炭素捕捉生成物が、炭酸マグネシウムおよび炭酸カルシウムを含む、請求項５に記載の方法。
【請求項１５】
前記気体流が、工場から出た産業廃棄物の気体流である、請求項６に記載の方法。
【請求項１６】
前記産業廃棄物の気体流が、発電所、鋳造所、セメントプラント、精錬所および溶鉱炉の一つにより生成された廃棄物の気体流である、請求項１５に記載の方法。
【請求項１７】
前記産業廃棄物の気体流が、化石燃料の燃焼により発生する、発電所の燃焼排ガスである、請求項１６に記載の方法。
【請求項１８】
前記処分する工程が、前記生成物を処分場所に配置する工程を含む、請求項５に記載の方法。
【請求項１９】
前記処分する工程が、製造される組成物の一成分として前記生成物を使用する工程を含む、請求項５に記載の方法。
【請求項２０】
前記製造される組成物が、建築材料である、請求項１９に記載の方法。
【請求項２１】
前記建築材料が、セメント、骨材および補助的なセメント系材料から選択されるコンクリートの成分である、請求項２０に記載の方法。
【請求項２２】
前記建築材料が、あらかじめ成型された建築材料である、請求項２０に記載の方法。
【請求項２３】
前記製造される組成物が、非セメント系組成物である、請求項１９に記載の方法。
【請求項２４】
（ａ）二酸化炭素を含有する産業廃棄物の気体流の供給源と、
（ｂ）アルカリ土類金属イオンを含有する水の供給源と、
（ｃ）二酸化炭素の供給源と前記水とを接触させる投入要素と、
（ｄ）前記水を炭酸塩化合物が析出する条件に供し、保存時に安定な二酸化炭素捕捉析出生成物を得る反応器と
を備える、二酸化炭素を捕捉するシステム。
【請求項２５】
前記二酸化炭素を含有する産業廃棄物の気体流の供給源が、発電所、鋳造所、セメントプラント、精錬所および溶鉱炉から選択される工場に接続した気体運搬装置である、請求項２４に記載のシステム。
【請求項２６】
前記産業廃棄物の気体流が燃焼排ガスである、請求項２５に記載のシステム。
【手続補正２】
【補正対象書類名】明細書
【補正対象項目名】０００５
【補正方法】変更
【補正の内容】
【０００５】
二酸化炭素（ＣＯ２）を捕捉する方法が提供される。本発明の局面は、アルカリ土類金属を含有する水から、保存時に安定な二酸化炭素捕捉生成物を析出させる工程と、（例えば、生成物を処分場所に置くことによって、または製造物品（例えば、建築材料）の要素として生成物を使用することによって）この生成物を処分する工程とを含む。さらに、本発明の方法を実施するためのシステムも提供される。
本発明は、例えば、以下を提供する：
（項目１）
ヒトが産生する気体状ＣＯ２供給源から、ＣＯ２を含有する安定な析出物を生成する工程を含み、この析出物生成工程が、上記気体状ＣＯ２供給源のＣＯ２の一部分またはすべてが溶解した水溶液からプロトンを除去するプロセスを利用したものであり、上記プロトンを除去するプロセスで発生したＣＯ２が、上記析出物の生成によって気体状ＣＯ２供給源から除去されたＣＯ２の７０％未満である、プロセス。
（項目２）
上記プロトンを除去するプロセスが、塩基を使用することなくプロトンを除去するプロセスを含む、項目１に記載のプロセス。
（項目３）
上記プロトンを除去するプロセスが、水酸化物を使用することなくプロトンを除去するプロセスを含む、項目２に記載のプロセス。
（項目４）
上記プロトンを除去するプロセスが、塩基を使用してプロトンを除去するプロセスを含む、項目１に記載のプロセス。
（項目５）
上記プロトンを除去するプロセスが、水酸化物を使用してプロトンを除去するプロセスを含む、項目４に記載のプロセス。
（項目６）
上記プロトンを除去するプロセスが、塩基を使用することなくプロトンを除去するプロセスを含む第１のプロセスと、塩基を使用してプロトンを除去する第２のプロセスとを含む、項目１に記載のプロセス。
（項目７）
水溶液から、ＣＯ２の一部分または実質的にすべてを安定な固体析出物の形態で析出させる工程を含み、上記析出によって、１回の析出工程で５ｇ／Ｌ以上の収量の安定な固体が得られる、産業的供給源から気体状ＣＯ２を捕捉する方法。
（項目８）
上記析出によって、１回の析出工程で１０ｇ／Ｌ以上の収量の安定な固体が得られる、項目７に記載の方法。
（項目９）
上記析出によって、１回の析出工程で２０ｇ／Ｌ以上の収量の安定な固体が得られる、項目８に記載の方法。
（項目１０）
上記析出によって、１回の析出工程で５０ｇ／Ｌ以上の収量の安定な固体が得られる、項目９に記載の方法。
（項目１１）
上記方法によって、上記産業的供給源から５％以上の二酸化炭素が除去される、項目７に記載の方法。
（項目１２）
上記方法によって、上記産業的供給源から１０％以上の二酸化炭素が除去される、項目１１に記載の方法。
（項目１３）
上記方法によって、上記産業的供給源から２５％以上の二酸化炭素が除去される、項目１２に記載の方法。
（項目１４）
上記産業的供給源が、ＮＯｘ、ＳＯｘ、ＶＯＣ、水銀および微粒子のうち１つ以上を含み、上記方法によって、ＮＯｘ、ＳＯｘ、ＶＯＣ、水銀および微粒子のうち１つ以上を、保存時に安定な二酸化炭素捕捉析出生成物に固定化する、項目７に記載の方法。
（項目１５）
発電所のエネルギーの５０％未満を消費するプロセスで、発電所で作られるＣＯ２の３０％以上を捕捉する工程を含み、エネルギー消費率は、再生可能なエネルギーの使用を基準とせず、エネルギー製造プロセスでの副生成物の使用を基準とすることなく決定される、発電所で作られるＣＯ２を捕捉する方法。
（項目１６）
上記方法が、発電所のエネルギーの５０％未満を消費するプロセスで、発電所で作られるＣＯ２の４０％以上を捕捉する工程を含む、項目１５に記載の方法。
（項目１７）
上記方法が、発電所のエネルギーの５０％未満を消費するプロセスで、発電所で作られるＣＯ２の６０％以上を捕捉する工程を含む、項目１６に記載の方法。
（項目１８）
上記方法が、発電所のエネルギーの５０％未満を消費するプロセスで、発電所で作られるＣＯ２の７０％以上を捕捉する工程を含む、項目１７に記載の方法。
（項目１９）
上記方法が、発電所のエネルギーの５０％未満を消費するプロセスで、発電所で作られるＣＯ２の８０％以上を捕捉する工程を含む、項目１８に記載の方法。
（項目２０）
上記発電所が、ＮＯｘ、ＳＯｘ、ＶＯＣ、水銀および微粒子のうち１つ以上を生成し、上記方法によって、ＮＯｘ、ＳＯｘ、ＶＯＣ、水銀および微粒子のうち１つ以上を、保存時に安定な二酸化炭素捕捉析出生成物に固定化する、項目１５に記載の方法。
（項目２１）
アルカリ土類金属イオンを含有する水を、炭酸塩化合物が析出する条件に供し、ヒトが作成した保存時に安定な二酸化炭素捕捉析出生成物を生成する工程と、
上記保存時に安定な二酸化炭素捕捉析出生成物を処分し、二酸化炭素を捕捉する工程とを含む、二酸化炭素を捕捉する方法。
（項目２２）
上記方法が、上記アルカリ土類金属イオンを含有する水と、二酸化炭素供給源とを接触させる工程をさらに含む、項目２１に記載の方法。
（項目２３）
上記二酸化炭素供給源が、二酸化炭素を含有する気体流である、項目２２に記載の方法。
（項目２４）
上記アルカリ土類金属イオンを含有する水が、上記二酸化炭素を含有する気体流と接触するときに中性または酸性である、項目２３に記載の方法。
（項目２５）
上記アルカリ土類金属イオンを含有する水が、上記二酸化炭素を含有する気体流と接触するときに塩基性であり、上記水のｐＨが、上記保存時に安定な二酸化炭素捕捉生成物を析出させるには不十分である、項目２３に記載の方法。
（項目２６）
上記水のｐＨが、上記二酸化炭素を含有する気体流と接触させている間は、実質的に一定値に維持される、項目２５に記載の方法。
（項目２７）
上記水のｐＨが、上記二酸化炭素を含有する気体流と接触させている間は、上記水に塩基を加えることによって実質的に一定値に維持される、項目２６に記載の方法。
（項目２８）
上記水のｐＨが、電気化学的に実質的に一定値に維持される、項目２６に記載の方法。
（項目２９）
上記方法が、上記水と、上記二酸化炭素を含有する気体流とを接触させた後、上記水のｐＨを、上記保存時に安定な二酸化炭素捕捉生成物を析出させる値まで上昇させる工程を含む、項目２３に記載の方法。
（項目３０）
上記方法が、上記水のｐＨを１０以上まで上昇させる工程を含む、項目２９に記載の方法。
（項目３１）
上記水のｐＨが、上記水に塩基を加えることによって上昇する、項目３０に記載の方法。
（項目３２）
上記水のｐＨが、電気化学的プロトコルを用いることによって上昇する、項目３０に記載の方法。
（項目３３）
上記電気化学的プロトコルによって塩素ガスが発生しない、項目３２に記載の方法。
（項目３４）
上記電気化学的プロトコルによって酸素ガスが発生しない、項目３２に記載の方法。
（項目３５）
上記電気化学的プロトコルによってガスが発生しない、項目３２に記載の方法。
（項目３６）
上記電気化学的プロトコルが、２Ｖ以下で操作するプロトコルである、項目３２に記載の方法。
（項目３７）
上記電気化学的プロトコルが、１Ｖ以下で操作するプロトコルである、項目３６に記載の方法。
（項目３８）
上記電気化学的プロトコルが、０．２Ｖ以下で操作するプロトコルである、項目３７に記載の方法。
（項目３９）
上記析出条件によって、水１Ｌ毎あたり、上記保存時に安定な二酸化炭素捕捉生成物が５ｇ以上生成する、項目２１に記載の方法。
（項目４０）
上記析出条件によって、水１Ｌ毎あたり、上記保存時に安定な二酸化炭素捕捉生成物が１０ｇ以上生成する、項目３９に記載の方法。
（項目４１）
上記析出条件によって、水１Ｌ毎あたり、上記保存時に安定な二酸化炭素捕捉生成物が５０ｇ以上生成する、項目４０に記載の方法。
（項目４２）
上記析出条件によって、水１Ｌ毎あたり、上記保存時に安定な二酸化炭素捕捉生成物が１００ｇ以上生成する、項目４１に記載の方法。
（項目４３）
上記析出条件によって、水１Ｌ毎あたり、上記保存時に安定な二酸化炭素捕捉生成物が２００ｇ以上生成する、項目４２に記載の方法。
（項目４４）
上記保存時に安定な二酸化炭素捕捉生成物が、１％〜５０％（ｗ／ｗ）の炭素を含む、項目２３に記載の方法。
（項目４５）
上記保存時に安定な二酸化炭素捕捉生成物が、６％〜１１％（ｗ／ｗ）の炭素を含む、項目４４に記載の方法。
（項目４６）
上記保存時に安定な二酸化炭素捕捉生成物が、７％〜１０％（ｗ／ｗ）の炭素を含む、項目４５に記載の方法。
（項目４７）
上記保存時に安定な二酸化炭素捕捉生成物中に存在する炭素の１０〜１００％が、上記二酸化炭素を含有する気体流に由来するものである、項目４４に記載の方法。
（項目４８）
上記保存時に安定な二酸化炭素捕捉生成物中に存在する炭素の５０〜１００％が、上記二酸化炭素を含有する気体流に由来するものである、項目４７に記載の方法。
（項目４９）
上記保存時に安定な二酸化炭素捕捉生成物中に存在する炭素の９０〜１００％が、上記二酸化炭素を含有する気体流に由来するものである、項目４８に記載の方法。
（項目５０）
上記保存時に安定な二酸化炭素捕捉生成物中に存在する炭素の９５〜１００％が、上記二酸化炭素を含有する気体流に由来するものである、項目４９に記載の方法。
（項目５１）
上記保存時に安定な二酸化炭素捕捉生成物が、炭酸塩を含む、項目２１に記載の方法。
（項目５２）
上記炭酸塩が、炭酸マグネシウムおよび炭酸カルシウムである、項目５１に記載の方法。
（項目５３）
上記生成物中の炭酸マグネシウムと炭酸カルシウムとの重量比が、２〜３／１で変化する、項目５２に記載の方法。
（項目５４）
上記気体流が、工場から出た産業廃棄物の気体流である、項目２３に記載の方法。
（項目５５）
上記産業廃棄物の気体流が、発電所、鋳造所、セメントプラント、精錬所および溶鉱炉の一つにより生成された廃棄物の気体流である、項目５４に記載の方法。
（項目５６）
上記産業廃棄物の気体流が、化石燃料の燃焼により発生する、発電所の燃焼排ガスである、項目５５に記載の方法。
（項目５７）
上記方法が、上記燃焼排ガスから、付随するエネルギー必要量は５０％以下で、二酸化炭素を５％以上除去する、項目５６に記載の方法。
（項目５８）
上記方法が、上記燃焼排ガスから、付随するエネルギー必要量は３０％以下で、二酸化炭素を１０％以上除去する、項目５７に記載の方法。
（項目５９）
上記方法が、上記燃焼排ガスから、付随するエネルギー必要量は２５％以下で、二酸化炭素を２５％以上除去する、項目５８に記載の方法。
（項目６０）
上記産業廃棄物の気体流が、ＮＯｘ、ＳＯｘ、ＶＯＣ、水銀および微粒子の１つ以上を含み、上記方法によって、ＮＯｘ、ＳＯｘ、ＶＯＣ、水銀および微粒子の１つ以上を、保存時に安定な二酸化炭素捕捉析出生成物に固定化する、項目５６に記載の方法。
（項目６１）
上記アルカリ土類金属イオンを含有する水が、カルシウムおよびマグネシウムを含む、項目２１に記載の方法。
（項目６２）
上記水が塩水である、項目６１に記載の方法。
（項目６３）
上記水が淡水である、項目６１に記載の方法。
（項目６４）
上記方法が、前駆体である水と、カルシウムイオンおよびマグネシウムイオンのうち少なくとも１つの供給源とを接触させることによって、上記アルカリ土類金属イオンを含有する水を生成する工程を含む、項目６１に記載の方法。
（項目６５）
上記処分する工程が、上記生成物を処分場所に配置する工程を含む、項目２１に記載の方法。
（項目６６）
上記処分する工程が、製造される組成物の一成分として上記生成物を使用する工程を含む、項目６１に記載の方法。
（項目６７）
上記製造される組成物が、建築材料である、項目６６に記載の方法。
（項目６８）
上記建築材料が、コンクリートの成分である、項目６７に記載の方法。
（項目６９）
上記コンクリートの成分が、セメント、骨材および補助的なセメント系材料から選択される、項目６８に記載の方法。
（項目７０）
上記建築材料が、あらかじめ成型された建築材料である、項目６７に記載の方法。
（項目７１）
上記製造される組成物が、非セメント系組成物である、項目６６に記載の方法。
（項目７２）
気体状ＣＯ２供給源から、合成ＣＯ２を含有する安定な析出物を生成する工程を含み、この析出物生成工程が、上記気体状ＣＯ２供給源に含まれるＣＯ２の一部分またはすべてが溶解した水溶液からプロトンを除去するプロセスを利用したものであり、上記プロトンを除去するプロセスで生成したＣＯ２が、上記析出物の生成によって気体状ＣＯ２供給源から除去されたＣＯ２の７０％未満である、プロセス。
（項目７３）
上記気体状ＣＯ２供給源が、産業プロセスで発生したガスを含む、項目７２に記載のプロセス。
（項目７４）
上記気体状ＣＯ２供給源が、大気中の空気を含む、項目７２に記載のプロセス。
（項目７５）
ＣＯ２を含む気体を発電所に供給する工程と、
上記発電所内で上記気体を処理する工程と、
上記発電所から気体を放出させる工程とを含み、上記発電所から放出された気体が、上記発電所に供給された気体よりもＣＯ２含有量が低い、方法。
（項目７６）
（ａ）二酸化炭素を含有する産業廃棄物の気体流の供給源と、
（ｂ）アルカリ土類金属イオンを含有する水の供給源と、
（ｃ）二酸化炭素の供給源と上記水とを接触させる投入要素と、
（ｄ）上記水を炭酸塩化合物が析出する条件に供し、保存時に安定な二酸化炭素捕捉析出生成物を得る反応器と
を備える、二酸化炭素を捕捉するシステム。
（項目７７）
上記二酸化炭素を含有する産業廃棄物の気体流の供給源が、発電所、鋳造所、セメントプラント、精錬所および溶鉱炉から選択される工場に接続した気体運搬装置である、項目７６に記載のシステム。
（項目７８）
上記産業廃棄物の気体流が燃焼排ガスである、項目７７に記載のシステム。
（項目７９）
（ａ）アルカリ土類金属イオンを含有する水の供給源と、
（ｂ）産業廃棄物の気体流の入口からの廃棄物の気体流と上記水とを接触させる投入要素と、
（ｃ）上記水を炭酸塩化合物が析出する条件に供し、保存時に安定な二酸化炭素捕捉析出生成物を生成する反応器と
を備え、システムの廃棄物の気体流の入口と流体連結している、廃棄物の気体流の出口を備える、工場。
（項目８０）
上記廃棄物の気体流の出口が煙道である、項目７９に記載の工場。
（項目８１）
上記工場が発電所である、項目７９に記載の工場。
（項目８２）
上記工場がセメントプラントである、項目７９に記載の工場。